(57)【要約】【課題】  水分の供給を断ち、雑草を枯死させることができる、防草構造を提供する。【解決手段】  防草構造２は、歩車道境界ブロック３０１と道路構成部４０１における、互いに対向する第１面３ａと第２面４ａとの、外部から下側に延びる間隙５からの、雑草１の成長を防止するものである。この防草構造２には、間隙５の入口５ａより下がった位置に、間隙５が通ずるとともに水が滞留しない、雑草１の根１ａが導かれる中空部６が設けられる。そこで、間隙５を通って下側に伸びる雑草１の根１ａは、中空部６に達すると、根１ａは、空気に接触して、その根１ａへの水分の供給が断たれる。【選択図】  図１
2008163689.tif 000002
【特許請求の範囲】
【請求項１】
接するようにして配備される第１構造物と第２構造物における、互いに対向する第１面と第２面との、外部から下側に延びる間隙からの、雑草の成長を防止する、防草構造であって、
前記間隙を通って下側に伸びる前記雑草の根を空気に接触させてその根への水分の供給を断つべく、前記間隙の入口より下がった位置に、前記間隙が通ずるとともに水が滞留しない、前記根が導かれる中空部が設けられていることを特徴とする防草構造。
【請求項２】
不定形の構造物形成材が配設されて固まることで、前記第２構造物が形成され、
前記構造物形成材に露出することなく埋設されるとともに前記第１面に沿う、補助部材が設けられ、
前記補助部材と前記第１構造物との間に、前記中空部が設けられることを特徴とする、請求項１に記載の防草構造。
【請求項３】
前記補助部材は、上端部分に、上方ほど前記第１面との距離が広がるように傾斜した傾斜面を有することを特徴とする請求項２に記載の防草構造。
【請求項４】
前記補助部材は、前記中空部の上方において、前記第１面に近接して面する近接面を有することを特徴とする請求項２または３に記載の防草構造。
【請求項５】
前記補助部材に、前記第１面で覆われて前記中空部を形成する中空部形成溝が、前記補助部材に沿って横に延びるように設けられていることを特徴とする、請求項２ないし４のいずれか１項に記載の防草構造。
【請求項６】
前記第１面に、前記補助部材で覆われて前記中空部を形成する中空部形成溝が、前記第１面に沿って横に延びるように設けられていることを特徴とする、請求項２ないし４のいずれか１項に記載の防草構造。
【請求項７】
前記補助部材と前記第１面とに、互いに対向位置するようにして、前記中空部を形成する中空部形成溝が、前記補助部材と前記第１面に沿って横に延びるように設けられていることを特徴とする、請求項２ないし４のいずれか１項に記載の防草構造。
【請求項８】
前記補助部材は、前記第１面の中空部形成溝の上面に近接してその中空部形成溝の奥方向の中間位置まで延びる上部突出片を有することを特徴とする、請求項６または７に記載の防草構造。
【請求項９】
前記補助部材は、前記第１面の中空部形成溝の下面に接してその中空部形成溝の奥面まで延びる下部突出片を有することを特徴とする請求項６ないし８のいずれか１項に記載の防草構造。
【請求項１０】
前記第２構造物は、基礎層の上に配備され、前記補助部材は、前記基礎層に載るようにして配置されることを特徴とする、請求項２ないし９のいずれか１項に記載の防草構造。
【請求項１１】
前記第１構造物は、路面に埋設されるコンクリート二次製品からなり、前記第２構造物は、道路構成部からなることを特徴とする、請求項２ないし１０のいずれか１項に記載の防草構造。
【請求項１２】
前記第１面と前記第２面との一方の面に、他方の面で覆われるようにして、前記中空部を形成する中空部形成溝が、前記一方の面に沿って横に延びるように設けられていることを特徴とする、請求項１に記載の防草構造。
【請求項１３】
前記第１面と前記第２面とに、互いに対向位置するようにして、前記中空部を形成する中空部形成溝が、前記第１面と前記第２面に沿って横に延びるように設けられていることを特徴とする、請求項１に記載の防草構造。
【請求項１４】
前記第１構造物は、支持体からなり、前記第２構造物は、その支持体に支持される柱状物からなることを特徴とする請求項１２または１３に記載の防草構造。
【請求項１５】
接するようにして配備される第１構造物と第２構造物における、互いに対向する第１面と第２面との、外部から下側に延びる間隙からの、雑草の成長を防止する、防草方法であって、
前記間隙の入口より下がった位置に、前記間隙が通ずるとともに水が滞留しない、前記雑草の根が導かれる中空部を設け、この中空部に、前記間隙を通って下側に伸びる前記根を誘導して、その根を空気に接触させることで、その根への水分の供給を断つことを特徴とする防草方法。
【発明の詳細な説明】
【技術分野】
【０００１】
この発明は、構造物どうしが接する部分での雑草の成長を防止する、防草構造および防草方法に関するものである。
【背景技術】
【０００２】
構造物どうしが接する部分、例えば、歩車道境界ブロックあるいは排水側溝と道路舗装層とが接する部分とか、ガードレールの支柱とその支柱を支える基礎構造物とが接する部分などには、僅かな間隙が生じ、この間隙に砂埃が堆積する。そして、そこに雑草等の植物の種子が飛来すると、発芽に適した気温、降雨による水分の供給等の発芽条件が整えさすれば、その植物は、発芽するとともに、前記間隙を通して根を伸ばし、やがて砕石層に到達して、根を張り定着して繁茂する。
【０００３】
そこで、従来、例えば、歩車道境界ブロックと道路舗装層とが接する部分において、雑草が生えるのを防止する防草構造があった（例えば、特許文献１）。この防草構造においては、図１１に示されるように、歩車道境界ブロック１１には、歩道側の上端部コーナーに、切欠き１１ａが設けられた。そして、歩道のアスファルト層が、切欠き１１ａに重なり合うように敷設された。すなわち、この防草構造は、切欠き１１ａによって、歩車道境界ブロック１１とアスファルト層との間を開きにくくし、その接合部からの雑草の発生を防ぐものであった。
【０００４】
【特許文献１】特開平１０−８２０１２号公報
【発明の開示】
【発明が解決しようとする課題】
【０００５】
しかし、前記従来の防草構造のように、歩車道境界ブロック１１に切欠き１１ａを設けても、歩車道境界ブロック１１と道路舗装表層１２とを完全に密着させることはできず、両者が接する部分には間隙が生じた。このため、その間隙から、雑草は、切欠き１１ａを越えて下方へと根を伸ばすことができ、防草の効果が十分とはいえなかった。
【０００６】
この発明は、上記した従来の欠点を解決するためになされたものであり、その目的とするところ、水分の供給を断ち、雑草を枯死させることができる、防草構造および防草方法を提供することにある。
【課題を解決するための手段】
【０００７】
この発明に係る防草構造および防草方法は、前記目的を達成するために、次の構成からなる。すなわち、
請求項１に記載の発明に係る防草構造は、接するようにして配備される第１構造物と第２構造物における、互いに対向する第１面と第２面との、外部から下側に延びる間隙からの、雑草の成長を防止する、防草構造である。この防草構造は、前記間隙を通って下側に伸びる前記雑草の根を空気に接触させてその根への水分の供給を断つべく、前記間隙の入口より下がった位置に、前記間隙が通ずるとともに水が滞留しない、前記根が導かれる中空部が設けられる。
【０００８】
この防草構造によると、第１構造物と第２構造物における、第１面と第２面との間隙の、入口付近で発芽した雑草は、その根が間隙を通って下側に伸びる。この伸びた雑草の根が、中空部に達して空気に接触すると、根への水分の供給が断たれる。
【０００９】
また、請求項２に記載の発明に係る防草構造は、請求項１に記載の防草構造において、不定形の構造物形成材が配設されて固まることで、前記第２構造物が形成される。そして、前記構造物形成材に露出することなく埋設されるとともに前記第１面に沿う、補助部材が設けられる。そこで、前記補助部材と前記第１構造物との間に、前記中空部が設けられる。
【００１０】
また、請求項３に記載の発明に係る防草構造は、請求項２に記載の防草構造において、前記補助部材は、上端部分に、上方ほど前記第１面との距離が広がるように傾斜した傾斜面を有する。このように、補助部材の上端部分に傾斜面を設けることで、下側に伸びる雑草の根を、確実に中空部に導くことができる。
【００１１】
また、請求項４に記載の発明に係る防草構造は、請求項２または３に記載の防草構造において、前記補助部材は、前記中空部の上方において、前記第１面に近接して面する近接面を有する。こうして、補助部材に近接面を設けることで、構造物形成材を配設した際に、その構造物形成材が、中空部に入り込むのを阻止することが可能となる。
【００１２】
また、請求項５に記載の発明に係る防草構造は、請求項２ないし４のいずれか１項に記載の防草構造において、前記補助部材に、前記第１面で覆われて前記中空部を形成する中空部形成溝が、前記補助部材に沿って横に延びるように設けられる。
【００１３】
また、請求項６に記載の発明に係る防草構造は、請求項２ないし４のいずれか１項に記載の防草構造において、前記第１面に、前記補助部材で覆われて前記中空部を形成する中空部形成溝が、前記第１面に沿って横に延びるように設けられる。
【００１４】
また、請求項７に記載の発明に係る防草構造は、請求項２ないし４のいずれか１項に記載の防草構造において、前記補助部材と前記第１面とに、互いに対向位置するようにして、前記中空部を形成する中空部形成溝が、前記補助部材と前記第１面に沿って横に延びるように設けられる。
【００１５】
また、請求項８に記載の発明に係る防草構造は、請求項６または７に記載の防草構造において、前記補助部材は、前記第１面の中空部形成溝の上面に近接してその中空部形成溝の奥方向の中間位置まで延びる上部突出片を有する。これにより、雑草の根は、第１面に設けられた中空部形成溝の上面と上部突出片との間隙を通って、その中空部形成溝の中間位置まで導かれる。このため、中空部での根への水分の供給が効果的に断たれる。
【００１６】
また、請求項９に記載の発明に係る防草構造は、請求項６ないし８のいずれか１項に記載の防草構造において、前記補助部材は、前記第１面の中空部形成溝の下面に接してその中空部形成溝の奥面まで延びる下部突出片を有する。これにより、施工の際、補助部材は、下部突出片によって、所定の位置に位置決めされる。そして、配設される構造物形成材の圧力を、この下部突出片で受け止めることができる。
【００１７】
また、請求項１０に記載の発明に係る防草構造は、請求項２ないし９のいずれか１項に記載の防草構造において、前記第２構造物は、基礎層の上に配備され、前記補助部材は、前記基礎層に載るようにして配置される。これにより、施工の際、補助部材が、基礎層に載ることで、この補助部材は、所定の高さ位置に位置決めされる。
【００１８】
また、請求項１１に記載の発明に係る防草構造は、請求項２ないし１０のいずれか１項に記載の防草構造において、前記第１構造物は、路面に埋設されるコンクリート二次製品からなり、前記第２構造物は、道路構成部からなる。
【００１９】
また、請求項１２に記載の発明に係る防草構造は、請求項１に記載の防草構造において、前記第１面と前記第２面との一方の面に、他方の面で覆われるようにして、前記中空部を形成する中空部形成溝が、前記一方の面に沿って横に延びるように設けられる。
【００２０】
また、請求項１３に記載の発明に係る防草構造は、請求項１に記載の防草構造において、前記第１面と前記第２面とに、互いに対向位置するようにして、前記中空部を形成する中空部形成溝が、前記第１面と前記第２面に沿って横に延びるように設けられる。
【００２１】
また、請求項１４に記載の発明に係る防草構造は、請求項１２または１３に記載の防草構造において、前記第１構造物は、支持体からなり、前記第２構造物は、その支持体に支持される柱状物からなる。
【００２２】
また、請求項１５に記載の発明に係る防草方法は、接するようにして配備される第１構造物と第２構造物における、互いに対向する第１面と第２面との、外部から下側に延びる間隙からの、雑草の成長を防止する、防草方法である。この防草方法は、前記間隙の入口より下がった位置に、前記間隙が通ずるとともに水が滞留しない、前記雑草の根が導かれる中空部を設け、この中空部に、前記間隙を通って下側に伸びる前記根を誘導して、その根を空気に接触させることで、その根への水分の供給を断つものである。
【発明の効果】
【００２３】
この発明に係る防草構造および防草方法によれば、間隙の入口より下がった位置に間隙が通ずる中空部を設けて、その中空部で根を空気に接触させて水分の供給を断つことで、雑草を枯死させることができる。
【発明を実施するための最良の形態】
【００２４】
以下、この発明に係る防草構造および防草方法を実施するための最良の形態を図面に基づいて説明する。
【００２５】
図１および図２は、本発明の第一の実施の形態を示す。図中符号１は、雑草である。２は、防草構造である。この防草構造２は、左右方向（水平方向）の位置関係において接するようにして配備される第１構造物３と第２構造物４における、互いに対向する第１面３ａと第２面４ａとの、外部から下側に延びる間隙５からの、雑草１の成長を防止するものである。
【００２６】
ここで、防草構造２には、前記間隙５を通って下側に伸びる雑草１の根１ａを空気に接触させてその根１ａへの水分の供給を断つべく、間隙５の入口５ａより下がった位置に、間隙５が通ずるとともに水が滞留しない、根１ａが導かれる中空部６が設けられている。詳細には、この中空部６は、第１面３ａとか第２面４ａに沿って、横に延びている。また、この中空部６は、雑草１を枯死に至らしめる程度に、その根１ａへの水分の供給を断つためのものであり、そのための中空部６の大きさは、縦断面の高さと幅（奥行）が、２〜３ｃｍあるいはそれ以上あるのが望ましいが、この数値に限定されるものではない。
【００２７】
第１構造物３と第２構造物４においては、第１構造物３が配備された後に、不定形の構造物形成材が配設されて固まることで、第２構造物４が形成される。そして、防草構造２には、構造物形成材（つまりは、第２構造物４）に露出することなく埋設されるとともに第１構造物３の第１面３ａに沿う、補助部材７が設けられる。そこで、補助部材７と第１構造物３との間に、前記中空部６が設けられる。また、補助部材７は、上端部分に、上方ほど前記第１面３ａとの距離が広がるように傾斜した傾斜面７ａを有する。さらに、補助部材７は、中空部６の上方において、前記第１面３ａに近接して面する近接面としての第１近接面７ｂを有する。加えて、補助部材７は、中空部６の下方において、前記第１面３ａに近接して面する第２近接面７ｃを有する。そして、この補助部材７に、第１面３ａで覆われて前記中空部６を形成する中空部形成溝７ｄ、詳しくは、下部内側面が下り傾斜面Ｐ１となった断面縦割り円弧形状（詳細には、半円弧形状）に湾曲する中空部形成溝７ｄが、補助部材７に沿って横に延びるように設けられる。
【００２８】
具体的には、第１構造物３は、路面に埋設されるコンクリート二次製品としてのコンクリートブロック（つまり、コンクリート製のブロック）、特に歩車道境界ブロック３０１からなる。そして、第２構造物４は、道路構成部４０１からなる。図示実施の形態においては、この第２構造物４としての道路構成部４０１は、例えば、不定形の構造物形成材としてのコンクリート（詳細には、生コンクリート）とかアスファルト混合物等を用いた基層４０１ａと、その基層４０１ａ上の、同じく不定形の構造物形成材としてのコンクリート（詳細には、生コンクリート）とかアスファルト混合物等を用いた道路舗装表層４０１ｂとからなる。
【００２９】
補助部材７は、合成樹脂とか金属とかからなる。また、補助部材７は、雑草１の根１ａを効果的に中空部６に導くために、その根１ａを通さない形状とか構造を有し、図示実施の形態においては、板形状をしている。この補助部材７は、前記中空部形成溝７ｄを備える湾曲形成された中空部形成片７ｅと、その中空部形成片７ｅから上方に延びる第１近接片７ｆと、中空部形成片７ｅから下方に延びる第２近接片７ｇと、第１近接片７ｆから折れ曲がって斜め上方に延びる傾斜片７ｈとからなる。ここで、第１近接片７ｆは、前記第１近接面７ｂを備え、第２近接片７ｇは、前記第２近接面７ｃを備える。そして、傾斜片７ｈは、前記傾斜面７ａを備える。この補助部材７は、道路舗装表層４０１ｂと基層４０１ａとに跨って埋設され、第１面３ａに、例えば、接着材により固定される。このとき、接着材は、第１近接面７ｂおよび第２近接面７ｃと、第１面３ａとの間が、空くように、第１近接面７ｂおよび／または第２近接面７ｃに、点付けするように部分的に塗られる。
【００３０】
ここで、前記間隙５からの雑草１の成長を防止する、防草方法は、前記防草構造２を用いたものであって、前記中空部６に、前記間隙５を通って下側に伸びる雑草１の根１ａを誘導して、その根１ａを空気に接触させることで、その根１ａへの水分の供給を断つものである。
【００３１】
次に、以上の構成からなる防草構造２および防草方法の作用効果について説明する。歩車道境界ブロック３０１（第１構造物３）と道路構成部４０１（第２構造物４）における、第１面３ａと第２面４ａとの間隙５の、入口５ａ付近で発芽した雑草１は、その根１ａが間隙５を通って下側に伸びる。この伸びた雑草１の根１ａが、第１近接面７ｂと第１面３ａとの間を通り、中空部６に達して空気に接触すると、根１ａへの水分の供給が断たれる。このように、間隙５の入口５ａより下がった位置に間隙５が通ずる中空部６を設けて、その中空部６で根１ａを空気に接触させて水分の供給を断つことで、雑草１を枯死させることができる。また、こうして、雑草１を枯死させることで、雑草１の成長を効率良く防止することができる。
【００３２】
また、補助部材７の上端部分に傾斜面７ａ（傾斜片７ｈ）を設けることで、間隙５の入口５ａ側から、下側に伸びる雑草１の根１ａを、確実に中空部６に導くことができる。また、補助部材７に第１近接面７ｂ（第１近接片７ｆ）とか第２近接面７ｃ（第２近接片７ｇ）を設けることで、第２構造物４における構造物形成材、すなわちコンクリートとかアスファルト混合物を配設した際に、その構造物形成材が、中空部６に入り込むのを阻止することが可能となる。また、中空部６に雨などの水が入り込んだ場合には、その水は、前記中空部形成溝７ｄの下り傾斜面Ｐ１を滑り下って第２近接面７ｃと第１面３ａとの間を通って下に抜けるため、この中空部６に水が滞留することはない。
【００３３】
また、歩車道境界ブロック３０１として、後述する、歩車道境界ブロック３０１に中空部形成溝３ｂを形成した場合と異なり、一般の歩車道境界ブロックをそのまま用いることができ、既設の歩車道境界ブロックにも溝加工を施すことなく適用することができる。
【００３４】
図３は、本発明の第二の実施の形態を示す。この実施の形態は、第一の実施の形態とは、防草構造２における中空部６を形成する中空部形成溝が設けられる部位が異なるが、他はほぼ同様であり、以下に、同様の機能を有する部分には、同一の符号を付して、異なる部分を主に説明する。
【００３５】
中空部６に関しては、第１面３ａに、補助部材７で覆われて前記中空部６を形成する中空部形成溝３ｂが、第１面３ａに沿って横に延びるように設けられる。そして、この中空部形成溝３ｂの下面は、下り傾斜面Ｐ２となっている。補助部材７は、中空部形成溝３ｂを覆う覆い片７ｉと、その覆い片７ｉから上方に延びる第１近接片７ｆと、覆い片７ｉから下方に延びる第２近接片７ｇと、第１近接片７ｆから折れ曲がって斜め上方に延びる傾斜片７ｈとからなる。ここで、覆い片７ｉと第１近接片７ｆと第２近接片７ｇとは、真直ぐ繋がり全体が平板形状をしている。そして、第１の実施の形態と同様に、第１近接片７ｆは、中空部６の上方において、歩車道境界ブロック３０１の第１面３ａに近接して面する近接面としての第１近接面７ｂを備える。第２近接片７ｇは、中空部６の下方において、第１面３ａに近接して面する第２近接面７ｃを備える。そして、傾斜片７ｈは、上方ほど第１面３ａとの距離が広がるように傾斜した傾斜面７ａを備える。
【００３６】
この第二の実施の形態における、防草方法、並びに、防草構造２および防草方法の作用効果は、第１の実施の形態と同様である。
【００３７】
図４は、本発明の第三の実施の形態を示す。この実施の形態は、第一の実施の形態とは、防草構造２における中空部６の構成が異なるが、他はほぼ同様であり、以下に、同様の機能を有する部分には、同一の符号を付して、異なる部分を主に説明する。
【００３８】
中空部６に関しては、補助部材７と第１面３ａとに、互いに対向位置するようにして、前記中空部６を形成する中空部形成溝７ｄ、３ｂが、補助部材７と第１面３ａに沿って横に延びるように設けられる。すなわち、補助部材７に中空部形成溝７ｄが設けられるだけでなく、第１面３ａにも中空部形成溝３ｂが設けられ、これら中空部形成溝７ｄ、３ｂによって、中空部６が形成される。
【００３９】
この第三の実施の形態における、防草方法は、第一の実施の形態と同様である。また、この第三の実施の形態における、防草構造２および防草方法の作用効果は、第一の実施の形態と同様であるが、さらに、以下に示す作用効果を有している。
【００４０】
すなわち、中空部６が、補助部材７と第１面３ａとの両方の中空部形成溝７ｄ、３ｂによって形成されるため、その中空部６を広くすることができる。さらに、間隙５からの出口が、中空部６の中間に位置することとなり、このため、中空部６での根１ａへの水分の供給を効果的に断つことができ、より確実に雑草１を枯死させることができる。
【００４１】
図５、図６、図７は、それぞれ、本発明の第四、第五、第六の実施の形態を示す。これら第四、第五、第六の実施の形態は、それぞれ、第一、第二、第三の実施の形態に対応するものであるが、それら実施の形態とは、補助部材７の形状が異なるが、他はほぼ同様であり、以下に、同様の機能を有する部分には、同一の符号を付して、異なる部分を主に説明する。
【００４２】
第２構造物４としての道路構成部４０１は、例えば、不定形の構造物形成材としてのコンクリート（詳細には、生コンクリート）とかアスファルト混合物等を用いた道路舗装層（表層および基層）からなる。そして、この道路構成部４０１（第２構造物４）は、基礎層８（路盤）の上に配備される。この基礎層８は、例えば、砕石を用いて形成される。そして、補助部材７は、基礎層８に載るようにして配置される。図示実施の形態においては、補助部材７は、下端に、第１面３ａから離れる方向に延びる下端突出片７ｊを有しており、この下端突出片７ｊが基礎層８に当接するようにして、補助部材７が基礎層８に載るようになっている。
【００４３】
また、第五の実施の形態（図６）および第六の実施の形態（図７）においては、補助部材７は、第１面３ａの中空部形成溝３ｂの上面３ｃに近接してその中空部形成溝３ｂの奥方向の中間位置まで延びる上部突出片７ｋを有している。さらに、補助部材７は、第１面３ａの中空部形成溝３ｂの下面３ｄに接してその中空部形成溝３ｂの奥面３ｅまで延びる下部突出片７ｍを有している。
【００４４】
これら第四〜第六の実施の形態における、防草方法は、第一の実施の形態と同様である。また、これら第四〜第六の実施の形態における、防草構造２および防草方法の作用効果は、第一の実施の形態と同様であるが、さらに、以下に示す作用効果を有している。
【００４５】
すなわち、第四〜第六の実施の形態においては、施工の際、補助部材７が、基礎層８に載る。このため、補助部材７は、所定の高さ位置に位置決めされ、この補助部材７の配備が容易となる。
【００４６】
また、第五の実施の形態（図６）および第六の実施の形態（図７）においては、雑草１の根１ａは、第１面３ａに設けられた中空部形成溝３ｂの上面３ｃと上部突出片７ｋとの間隙５を通って、その中空部形成溝３ｂの中間位置まで導かれる。このため、中空部６での根１ａへの水分の供給が効果的に断たれる。また、施工の際、補助部材７は、下部突出片７ｍによって、所定の位置に位置決めされ、この補助部材７の配備が容易となる。さらに、図示実施の形態においては、下部突出片７ｍに加えて上部突出片７ｋが設けられているため、施工の際には、これら突出片７ｍ、７ｋを中空部形成溝３ｂの高さに合わせて差し込むことで、施工性の向上を図るとともに、精度を安定化させることができる。また、配設されるコンクリート（詳細には、生コンクリート）とかアスファルト混合物とかの構造物形成材の圧力を、下部突出片７ｍで受け止めることができ、補助部材７の変形を抑えることができる。なお、中空部６に雨などの水が入り込んだ場合には、その水は、下部突出片７ｍと中空部形成溝３ｂの下面３ｄとの間、および、第２近接面７ｃと第１面３ａとの間を通って下に抜けるため、中空部６に水が滞留することはない。なお、中空部形成溝３ｂの下面３ｄを下り傾斜面に形成すれば、水の滞留は一層排除される。
【００４７】
図８は、本発明の第七の実施の形態を示す。この実施の形態は、第一の実施の形態とは、補助部材７が設けられていない点が大きく異なり、以下に、同様の機能を有する部分には、同一の符号を付して、異なる部分を主に説明する。
【００４８】
第１構造物３は、支持体３０２からなり、第２構造物４は、その支持体３０２に支持される柱状物４０２からなる。そして、支持体３０２の第１面３ａと柱状物４０２の第２面４ａとの一方の面（図示実施の形態においては、第１面３ａ）に、他方の面（図示実施の形態においては、第２面４ａ）で覆われるようにして、中空部６を形成する中空部形成溝（図示実施の形態においては、中空部形成溝３ｂ）が、一方の面（図示実施の形態においては、第１面３ａ）に沿って横に延びるように設けられる。
【００４９】
具体的には、第１構造物３としての支持体３０２は、例えば、路面に埋設されたり路面に載置されるコンクリート二次製品としてのコンクリートブロック（つまり、コンクリート製のブロック）からなる。この支持体３０２には、鉛直方向に延びる支持孔３ｆが設けられる。そして、その支持孔３ｆの周面（つまり、第１面３ａ）に、全周に渡って前記中空部形成溝３ｂが形成される（中空部形成溝３ｂの下面は、下り傾斜面となっているのが好ましい。）。柱状物４０２は、例えば、ガードレールとか標識とかの支柱からなる。そこで、この柱状物４０２が、支持体３０２の支持孔３ｆに挿入されて支持される。このとき、支持孔３ｆ内における、柱状物４０２の外周面が、前記第２面４ａとなる。
【００５０】
この第七の実施の形態における、防草方法は、第一の実施の形態と同様である。
【００５１】
以下に、この第七の実施の形態における、防草構造２および防草方法の作用効果を示す。支持体３０２（第１構造物３）と柱状物４０２（第２構造物４）における、第１面３ａと第２面４ａとの間隙５の、入口５ａ付近で発芽した雑草１は、その根１ａが間隙５を通って下側に伸びる。この伸びた雑草１の根１ａが、中空部６に達して空気に接触すると、根１ａへの水分の供給が断たれる。このように、間隙５の入口５ａより下がった位置に間隙５が通ずる中空部６を設けて、その中空部６で根１ａを空気に接触させて水分の供給を断つことで、雑草１を枯死させることができる。また、こうして、雑草１を枯死させることで、雑草１の成長を効率良く防止することができる。
【００５２】
なお、本発明は、上述した実施の形態に限定されるわけではなく、その他種々の変更が可能である。例えば、第一〜第六の実施の形態（図１〜図７）において、第１構造物３は、歩車道境界ブロック３０１からなるが、その他の境界ブロックとか側溝ブロック等のその他のコンクリート二次製品からなってもよく、また、プレキャスト製でなくとも、現場打設されるものであってもよい。さらには、第１構造物３は、コンクリート製でなくとも、それ以外の材料を用いたものでもよく、また、２種以上の材料を用いたものであってもよい。
【００５３】
また、第一〜第六の実施の形態（図１〜図７）において、補助部材７には、傾斜面７ａを備えた傾斜片７ｈが設けられているが、この傾斜片７ｈは無くともよい。さらに、補助部材７には、第１近接面７ｂ（第１近接片７ｆ）とか第２近接面７ｃ（第２近接片７ｇ）が設けられているが、これら近接面７ｂ、７ｃ（近接片７ｆ、７ｇ）の一方あるいは両方は、無くともよい。また、これら実施の形態において、補助部材７は、板形状をしているが、この板形状以外の形状であってもよい。また、補助部材７は、雑草１の根１ａを通さない形状とか構造を有するが、さらに、水を通さない形状とか構造を有するのが好ましい。そして、この補助部材７は、第１面３ａに接着材により固定されるが、アンカーボルト等、その他の方法で固定されてもよい。
【００５４】
また、第一〜第六の実施の形態においては、防草構造２を、本舗装の道路を用いて説明したが、簡易舗装の道路、すなわち、基層を有せず、路盤上に直接表層が配設されるような道路に用いても構わないし、また車道のみならず、歩道に用いても構わない。さらには、コンクリートとかアスファルト混合物以外の不定形の構造物形成材、例えば、砕石（詳細には、砕石の集合体）を、道路構成部４０１の下層部を形成する材料として用いても構わない。
【００５５】
また、第四〜第六の実施の形態（図５〜図７）において、補助部材７には、下端突出片７ｊが設けられているが、この下端突出片７ｊは無くともよい。
【００５６】
また、第五、第六の実施の形態（図６、図７）において、補助部材７には、上部突出片７ｋと下部突出片７ｍとが設けられているが、これら上部突出片７ｋと下部突出片７ｍとのいずれか一方、あるいは両方を無くしてもよい。反対に、第二、第三の実施の形態における補助部材７に、上部突出片７ｋと下部突出片７ｍとを適宜設けても構わない。
【００５７】
また、第七の実施の形態（図８）において、第１面３ａに、中空部６を形成する中空部形成溝３ｂが設けられているが、反対に、第２面４ａに、中空部形成溝が設けられてもよい。さらに、第１面３ａと第２面４ａとに、互いに対向位置するようにして、中空部６を形成する中空部形成溝が、第１面３ａと第２面４ａに沿って横に延びるように設けられてもよい。この構成によると、中空部６が、第１面３ａと第２面４ａとの両方の中空部形成溝によって形成されるため、その中空部６を広くすることができる。しかも、間隙５からの出口が、中空部６の中間に位置することとなり、このため、中空部６での根１ａへの水分の供給を効果的に断つことができ、より確実に雑草１を枯死させることができる。
【００５８】
また、この第七の実施の形態（図８）において、第１構造物３としての支持体３０２は、コンクリートブロックからなるが、その他のコンクリート二次製品であってもよく、また、この支持体３０２は、プレキャスト製でなくとも、現場打設されるものであってもよい。さらには、支持体３０２は、コンクリート製でなくとも、それ以外の材料を用いたものでもよく、また、２種以上の材料を用いたものであってもよい。また、第１構造物３と第２構造物４は、支持体３０２と柱状物４０２からならなくとも、第１面３ａと第２面４ａとの一方の面に、他方の面で覆われる中空部形成溝が設けられたり、第１面３ａと第２面４ａとに、互い対向位置する中空部形成溝が設けられるものであれば、どのようなものでもよい。
【００５９】
また、図９および図１０に示すように、補助部材７を用いた防草構造２において、上端部分が横に張り出したＵ字側溝３０３のその張出し部３ｇの下方に中空部６を確保するように、第１面３ａに沿う補助部材７を配置してもよい。すなわち、第１構造物３が、例えばコンクリート二次製品からなるＵ字側溝３０３であり、第２構造物４が、道路構成部４０１となる。そして、張出し部３ｇの下方であって、補助部材７とＵ字側溝３０３との間に、中空部６が、Ｕ字側溝３０３の第１面３ａあるいは補助部材７に沿って横に延びるように設けられる。
【００６０】
図９に示す例では、第２構造物４としての道路構成部４０１は、道路舗装層（例えば、表層と基層とで構成される）からなり、基礎層８（例えば、路盤）の上に配備される。そして、補助部材７は、前記基礎層８に載るようにして配置される。この補助部材７は、板形状をして、傾斜片７ｈと第１近接片７ｆ（近接片）と覆い片７ｉとを備える。ここで、第１近接片７ｆと覆い片７ｉとは、真直ぐ繋がり全体が平板形状をしている。
【００６１】
また、図１０に示す例では、第２構造物４としての道路構成部４０１は、例えば、路盤４０１ｃとその路盤４０１ｃ上の道路舗装層４０１ｄとからなる。そして、補助部材７は、板形状をして、傾斜片７ｈと第１近接片７ｆ（近接片）と覆い片７ｉとを備える。ここで、覆い片７ｉは、第１近接片７ｆから真直ぐ下方に延び、途中で折れ曲がってＵ字側溝３０３に近接するまで延びている。
【００６２】
また、上記図９および図１０で示す例において、図１とか図４あるいは図５で示した、中空部形成片７ｅとか下端突出片７ｊを備えた補助部材７を用いても構わない。
【図面の簡単な説明】
【００６３】
【図１】この発明の第一の実施の形態の、要部模式図である。
【図２】同じく、補助部材の斜視図である。
【図３】この発明の第二の実施の形態の、要部模式図である。
【図４】この発明の第三の実施の形態の、要部模式図である。
【図５】この発明の第四の実施の形態の、要部模式図である。
【図６】この発明の第五の実施の形態の、要部模式図である。
【図７】この発明の第六の実施の形態の、要部模式図である。
【図８】この発明の第七の実施の形態の模式図であって、（ａ）は、縦断面図、（ｂ）は、平面図である。
【図９】この発明の他の実施の形態の模式図である。
【図１０】この発明のさらに他の実施の形態の模式図である。
【図１１】従来の防草構造を示す模式図である。
【符号の説明】
【００６４】
１  雑草
１ａ  根
２  防草構造
３  第１構造物
３０１  歩車道境界ブロック（コンクリート二次製品、第１構造物）
３０２   支持体（第１構造物）
３０３  Ｕ字側溝（コンクリート二次製品、第１構造物）
３ａ  第１面
３ｂ  中空部形成溝
３ｃ  上面
３ｄ  下面
３ｅ  奥面
４  第２構造物
４０１  道路構成部（第２構造物）
４０２  柱状物（第２構造物）
４ａ  第２面
５  間隙
５ａ  入口
６  中空部
７  補助部材
７ａ  傾斜面
７ｂ  第１近接面（近接面）
７ｄ  中空部形成溝
７ｋ  上部突出片
７ｍ  下部突出片
８  基礎層
【図１】
2008163689.tif 000003
【図２】
2008163689.tif 000004
【図３】
2008163689.tif 000005
【図４】
2008163689.tif 000006
【図５】
2008163689.tif 000007
【図６】
2008163689.tif 000008
【図７】
2008163689.tif 000009
【図８】
2008163689.tif 000010
【図９】
2008163689.tif 000011
【図１０】
2008163689.tif 000012
【図１１】
2008163689.tif 000013